(57)【要約】【課題】スピーカからの分割振動の発生および音の広がり感に関係の少ない低域の歪み感の発生を防止する音響信号再生回路を提供する。【解決手段】Ｌｃｈ信号、Ｒｃｈ信号は、各々第１、第２の電力増幅器ＰＡＬ１２，ＰＡＲ２２で電力増幅されてＬｃｈ側、Ｒｃｈ側の第１スピーカＳＰＬ６２，ＰＳＲ７２を駆動させ、かつ各々第１、第２のハイパスフィルタＨＰＦＬ１４，ＨＰＦＲ２４で低域周波数成分が除去された後、各々第１、第２のバッファ増幅器ＰＢＬ１６，ＰＢＲ２６で緩衝増幅されるとともに、第１、第２の位相反転回路ＰＢＬ１８，ＰＢｒ２８で位相反転された他チャンネルのＲｃｈ位相反転信号乃至はＬｃｈ位相反転信号と各加算器Ｋ４２，Ｋ４４で加算され、しかる後各々第３、第４の電力増幅器ＰＡＬ５２，ＰＡＲ５４により電力増幅されてＬｃｈ側、Ｒｃｈ側の第２スピーカＳＰＬ６４，ＳＰＲ７４を駆動させる。【選択図】        図１
2005012603.tif 000002
【特許請求の範囲】
【請求項１】
音響信号であるＬｃｈ信号の低域周波数成分を除去してＬｃｈ高周波数成分信号を生成する第１の低域除去手段と、
音響信号であるＲｃｈ信号の低域周波数成分を除去してＲｃｈ高周波数成分信号を生成する第２の低域除去手段と、
前記Ｌｃｈ高域周波数成分信号を位相反転してＬｃｈ位相反転信号を生成する第１の位相反転手段と、
前記Ｒｃｈ高域周波数成分信号を位相反転してＲｃｈ位相反転信号を生成する第２の位相反転手段と、
前記Ｌｃｈ高周波数成分信号と前記Ｒｃｈ位相反転信号とを加算する第１の加算手段と、
前記第１の加算手段により加算された加算信号を電力増幅しＬｃｈ側のスピーカを駆動する第１の電力増幅手段と、
前記Ｒｃｈ高周波数成分信号と前記Ｌｃｈ位相反転信号とを加算する第２の加算手段と、
前記第２の加算手段により加算された加算信号を電力増幅しＲｃｈ側のスピーカを駆動する第２の電力増幅手段と、
を備えることを特徴とする音響信号再生回路。
【請求項２】
前記Ｌｃｈ高域周波数成分信号を増幅して前記第１の位相反転手段に供給する第１の緩衝増幅手段と、前記Ｒｃｈ高域周波数成分信号を増幅して前記第２の位相反転手段に供給する第２の緩衝増幅手段とを設けたことを特徴とする請求項１記載の音響信号再生回路。
【請求項３】
音響信号であるＬｃｈ信号を電力増幅し、Ｌｃｈ側の第１のスピーカを駆動する第１の電力増幅手段と、
音響信号であるＲｃｈ信号を電力増幅し、Ｒｃｈ側の第１のスピーカを駆動する第２の電力増幅手段と、
Ｌｃｈ信号の低域周波数成分を除去してＬｃｈ高周波数成分信号を生成する第１の低域除去手段と、
Ｒｃｈ信号の低域周波数成分を除去してＲｃｈ高周波数成分信号を生成する第２の低域除去手段と、
前記Ｌｃｈ高域周波数成分信号を位相反転してＬｃｈ位相反転信号を生成する第１の位相反転手段と、
前記Ｒｃｈ高域周波数成分信号を位相反転してＲｃｈ位相反転信号を生成する第２の位相反転手段と、
前記Ｌｃｈ高域周波数成分信号と前記Ｒｃｈ位相反転信号とを加算する第１の加算手段と、
前記第１の加算手段により加算された加算信号を電力増幅し、Ｌｃｈ側の第２のスピーカを駆動する第３の電力増幅手段と、
前記Ｒｃｈ高域周波数成分信号と前記Ｌｃｈ位相反転信号とを加算する第２の加算手段と、
前記第２の加算手段により加算された加算信号を電力増幅し、Ｒｃｈ側の第２のスピーカを駆動する第４の電力増幅手段と、
を備えることを特徴とする音響信号再生回路。
【請求項４】
前記Ｌｃｈ高域周波数成分信号を増幅して前記第１の位相反転手段に供給する第１の緩衝増幅手段と、前記Ｒｃｈ高域周波数成分信号を増幅して前記第２の位相反転手段に供給する第２の緩衝増幅手段とを設けたことを特徴とする請求項３記載の音響信号再生回路。
【請求項５】
前記Ｌｃｈ側および前記Ｒｃｈ側の前記第１のスピーカが低域用のスピーカであり、前記Ｌｃｈ側および前記Ｒｃｈ側の前記第２のスピーカが高域用のスピーカであることを特徴とする請求項３記載の音響信号再生回路。
【発明の詳細な説明】
【０００１】
【発明の属する技術分野】
本発明は、例えば音響信号であるＬｃｈ信号、Ｒｃｈ信号に互いに位相反転した他方のＲｃｈ信号、もしくはＬｃｈ信号を加算しＬｃｈ側およびＲｃｈ側のスピーカを駆動する音響信号再生回路に関する。
【０００２】
【従来の技術】
従来、例えば第１に、ステレオ関係にある左信号Ｌ、右信号Ｒを各々に対応する信号伝送経を介し左増幅器、右増幅器に出力する一方で、左信号Ｌ、右信号Ｒの双方を差信号発生回路に加えて差信号を生成し、この差信号を遅延回路により一定時間遅延させた後、位相反転信号発生回路により互いに逆位相の差信号ｌ、ｒを生成し、この逆位相の差信号ｒを端子で前記左信号Ｌに合成し左増幅器により増幅して左スピーカに出力し、かつ逆位相の差信号ｌを端子で上記右信号Ｒに合成して右増幅器により増幅し右スピーカに出力するという音響信号再生回路が知られている（例えば特許文献１参照）。
この音響信号再生回路は、下記の数式に従う信号が得られる。
Ｌ＋Ｋ（ｌ−ｒ）ｍ    …（１）
Ｒ＋Ｋ（ｒ−ｌ）ｍ    …（２）
ここにＫは定数、ｍは遅延時間である。
（１）式の信号は、左増幅器で増幅され左スピーカから出力される。
（２）式の信号は、右増幅器で増幅され右スピーカから出力される。
この結果、左スピーカより右の逆相の音が出力されると左耳に達する音は実際の音よりも早く聞こえ、右スピーカからも左の逆相の音が出力されると右耳に達する音は同じく実際の音よりも早く聞こえる。
これにより左右のスピーカの両外側にもあたかもスピーカがあるかのように広がりのあるステレオ効果が得られる。
【０００３】
また、例えば第２に、左の音声信号を一方の３分岐手段により３分岐し、右の音声信号を他方の３分岐手段により３分岐し、その各々の第１の信号を遅延器により遅延させた後、増幅器により電力増幅し左右のスピーカから再生させ、その各々の第２の信号を遅延器により遅延させた後、位相反転器により逆位相にし増幅器により電力増幅し左右のスピーカから再生させ、かつ、その各々の第３の信号を加算器により加算して増幅器により電力増幅し中央のスピーカから再生させるというステレオ再生装置が知られている（例えば特許文献２参照）。
このステレオ再生装置は、左と中央の各スピーカの間の領域、右と中央の各スピーカの間の領域、および左右の各スピーカの間の領域において、良質な音像定位と音場の広がり感を再生できるものとなっている。
【０００４】
また、例えば第３に、図３に示すように、まず、Ｌｃｈ信号を一方ではバッファ増幅器ＰＢＬ１０２により増幅してＬｃｈ緩衝増幅信号（Ｌ）を生成した後、加算器Ｋ１０４へ入力し、他方では位相反転回路ＰＢＬ１０６により位相反転したＬｃｈ位相反転信号（−ΔＬ）を生成した後、加算器Ｋ１０８へ入力し、同様に、Ｒｃｈ信号を一方ではバッファ増幅器ＰＢＲ１１２により増幅してＲｃｈ緩衝増幅信号（Ｒ）を生成した後、加算器Ｋ１０４へ入力し、他方では位相反転回路ＰＢＲ１１４により位相反転したＲｃｈ位相反転信号（−ΔＲ）を生成した後、加算器Ｋ１０４へ入力する。
そして、加算器Ｋ１０４によりＬｃｈ緩衝増幅信号（Ｌ）とＲｃｈ位相反転信号（−ΔＲ）とを加算し電力増幅器ＰＡＬ１２２により電力増幅し、この電力増幅された音響増幅信号をＬｃｈ側の第１スピーカＳＰＬ１２４、およびフィルタＣｌ１２６を介しＬｃｈ側の第２スピーカＳＰＬ１２８に出力し音響再生を行い、また、加算器Ｋ１０８によりＲｃｈ緩衝増幅信号（Ｒ）とＬｃｈ位相反転信号（−ΔＬ）とを加算し電力増幅器ＰＡＲ１３２により電力増幅し、この電力増幅された音響増幅信号をＲｃｈ側の第１スピーカＳＰＲ１３４、およびフィルタＣｒ１３６を介しＲｃｈ側の第２スピーカＳＰＲ１３８に出力し音響再生を行うという音響信号再生回路が知られている。
【０００５】
この音響信号再生回路は、図４に示すように、試聴者には、左側の第１、第２スピーカＳＰＬ１２４、ＰＳＬ１２８からＬｃｈ側の信号ベクトルＡが感じられるとともに、Ｒｃｈ側の第１、第２スピーカＳＰＲ１３４、ＳＰＲ１３８から位相反転されたＬｃｈ側の信号ベクトルＢも左側に感じられる。したがって視聴者には、ベクトルＡ１、Ｂ１の合成ベクトルＣ１をもＬｃｈ側の信号として感じられる。
このため図４に点線で示すように左側の離れた位置にも第１、第２スピーカＳＰＬ１２４´、ＳＰＬ１２８´があたかも存在するかのように広がり感のある音響効果が感じられる。
また、この音響信号再生回路は、同じく図４に示すように、試聴者には、Ｒｃｈ側の第１、第２スピーカＳＰＲ１３４、ＰＳＲ１３８からＲｃｈ側の信号ベクトルＡ２が感じられるとともに、Ｌｃｈ側の第１、第２スピーカＳＰＬ１２４、ＳＰＬ１２８から位相反転されたＲｃｈ側の信号ベクトルＢ２も右側に感じられる。したがって視聴者には、ベクトルＡ２、Ｂ２の合成ベクトルＣ２をもＲｃｈ側の信号として感じられる。
このため図４に点線で示すように右側の離れた位置にも第１、第２スピーカＳＰＲ１３４´、ＳＰＲ１３８´があたかも存在するかのように広がり感のある音響効果が感じられる。
【０００６】
【特許文献１】
特公昭６３−１８００号公報
【特許文献２】
特公平４−２０７７００号公報
【０００７】
【発明が解決しようとする課題】
しかしながら、上述した第１から第３の従来例においては、何れも他チャンネルの位相反転した信号を加算して電力増幅し各スピーカから出力させるという構成を含んだものであり、したがってスピーカに分割振動が発生し低域の歪み感が増すという欠点があった。
このため、上記欠点を補うために、加算時に分割振動を低減する構成を使用するという方法が一般的であるが、それでも分割振動を抑えられず、音の広がり感に関係の少ない低域まで歪み感を発生させているというのが一般的であった。
【０００８】
本発明は、以上のような課題に鑑みてなされたものであり、スピーカからの分割振動の発生を防止するとともに、音の広がり感に関係の少ない低域の歪み感をも防止することができる音響信号再生回路を提供することを目的とする。
【０００９】
【課題を解決するための手段】
本発明に係わる音響信号再生回路は、上述した課題を解決すべく、音響信号であるＬｃｈ信号の低域周波数成分を除去してＬｃｈ高周波数成分信号を生成する第１の低域除去手段と、音響信号であるＲｃｈ信号の低域周波数成分を除去してＲｃｈ高周波数成分信号を生成する第２の低域除去手段と、前記Ｌｃｈ高域周波数成分信号を位相反転してＬｃｈ位相反転信号を生成する第１の位相反転手段と、前記Ｒｃｈ高域周波数成分信号を位相反転してＲｃｈ位相反転信号を生成する第２の位相反転手段と、前記Ｌｃｈ高周波数成分信号と前記Ｒｃｈ位相反転信号とを加算する第１の加算手段と、前記第１の加算手段により加算された加算信号を電力増幅しＬｃｈ側のスピーカを駆動する第１の電力増幅手段と、前記Ｒｃｈ高周波数成分信号と前記Ｌｃｈ位相反転信号とを加算する第２の加算手段と、前記第２の加算手段により加算された加算信号を電力増幅しＲｃｈ側のスピーカを駆動する第２の電力増幅手段とを備えることを特徴とする。
そのため、Ｌｃｈ信号、Ｒｃｈ信号は、各々第１、第２の低域除去手段により低域周波数成分が除去された後、各々第１、第２の位相反転手段により位相反転された他チャンネルのＲｃｈ位相反転信号、乃至はＬｃｈ位相反転信号と加算され、しかる後、各々第１、第２の電力増幅器により電力増幅されて各スピーカを駆動させるため、各スピーカは分割振動が生じることなく、高音質で広がり感のある音響効果を発揮させる。
【００１０】
本発明に係わる音響信号再生回路は、音響信号であるＬｃｈ信号を電力増幅し、Ｌｃｈ側の第１のスピーカを駆動する第１の電力増幅手段と、音響信号であるＲｃｈ信号を電力増幅し、Ｒｃｈ側の第１のスピーカを駆動する第２の電力増幅手段と、Ｌｃｈ信号の低域周波数成分を除去してＬｃｈ高周波数成分信号を生成する第１の低域除去手段と、Ｒｃｈ信号の低域周波数成分を除去してＲｃｈ高周波数成分信号を生成する第２の低域除去手段と、前記Ｌｃｈ高域周波数成分信号を位相反転してＬｃｈ位相反転信号を生成する第１の位相反転手段と、前記Ｒｃｈ高域周波数成分信号を位相反転してＲｃｈ位相反転信号を生成する第２の位相反転手段と、前記Ｌｃｈ高域周波数成分信号と前記Ｒｃｈ位相反転信号とを加算する第１の加算手段と、前記第１の加算手段により加算された加算信号を電力増幅し、Ｌｃｈ側の第２のスピーカを駆動する第３の電力増幅手段と、前記Ｒｃｈ高域周波数成分信号と前記Ｌｃｈ位相反転信号とを加算する第２の加算手段と、前記第２の加算手段により加算された加算信号を電力増幅し、Ｒｃｈ側の第２のスピーカを駆動する第４の電力増幅手段とを備えることを特徴とする。
そのため、Ｌｃｈ信号、Ｒｃｈ信号は、まず各々第１、第２の電力増幅手段により電力増幅されてＬｃｈ側、Ｒｃｈ側の第１スピーカを駆動させ、かつ各々第１、第２の低域除去手段により低域周波数成分が除去された後、第１、第２の位相反転手段により位相反転された他チャンネルのＲｃｈ位相反転信号、乃至はＬｃｈ位相反転信号と加算され、しかる後、各々第３、第４の電力増幅器により電力増幅されてＬｃｈ側、Ｒｃｈ側の第２スピーカを駆動させるため、特に各第２スピーカはＬｃｈ信号、Ｒｃｈ信号の再生に際しタイミングの狂いが生じることなく、かつ分割振動をも生じさせず、より高音質で広がり感のある音響効果を発揮させる。
【００１１】
【発明の実施の形態】
以下、図１および図２を参照し本発明の実施の形態について説明する。
図１は本発明の実施の形態に係わる音響信号再生回路の構成を示す回路構成図である。
図１において、符号１０は本実施の形態に係わる音響信号再生回路を示す。
音響信号再生回路１０は、第１に音響信号等のＬｃｈ信号を電力増幅する第１の電力増幅器（請求項３に記載の第１の電力増幅手段に相当）ＰＡＬ１２と、第１の電力増幅器ＰＡＬ１２により電力増幅されたＬｃｈ電力増幅信号とともに駆動するＬｃｈ側の例えば低域用の第１スピーカＳＰＬ６２と、Ｌｃｈ信号の低域周波数成分を除去する第１のハイパスフィルタ（請求項１、３に記載の第１の低域除去手段に相当）ＨＰＦＬ１４と、第１のハイパスフィルタＨＰＦＬ１４を通過したＬｃｈ高周波数成分信号を増幅してＬｃｈ緩衝増幅信号（Ｌ‘）を生成する第１のバッファ増幅器（請求項２、４に記載の第１の緩衝増幅手段に相当）ＰＢＬ１６と、Ｌｃｈ高周波数成分信号を位相反転してＬｃｈ位相反転信号（−ΔＬ‘）を生成する第１の位相反転回路（請求項１、３に記載の第１の位相反転手段に相当）ＰＢＬ１８とを備える。
【００１２】
音響信号再生回路１０は、第２に音響信号等のＲｃｈ信号を電力増幅する第２の電力増幅器（請求項３に記載の第２の電力増幅手段に相当）ＰＡＲ２２と、第２の電力増幅器ＰＡＬ２２により電力増幅されたＲｃｈ電力増幅信号とともに駆動するＲｃｈ側の例えば低域用の第１スピーカＳＰＲ７２と、Ｒｃｈ信号の低域周波数成分を除去する第２のハイパスフィルタ（請求項１、３に記載の第２の低域除去手段に相当）ＨＰＦＲ２４と、第２のハイパスフィルタＨＰＦＲ２４を通過したＲｃｈ高周波数成分信号を増幅してＲｃｈ緩衝増幅信号（Ｒ‘）を生成する第２のバッファ増幅器（請求項２、４に記載の第２の緩衝増幅手段に相当）ＰＢＲ２６と、Ｒｃｈ高周波数成分信号を位相反転してＬｃｈ位相反転信号（−ΔＲ‘）を生成する第２の位相反転回路（請求項１、３に記載の第２の位相反転手段に相当）ＰＢＲ２８とを備える。
【００１３】
音響信号再生回路１０は、第３に第１のバッファ増幅器ＰＢＬ１６により増幅されたＬｃｈ緩衝増幅信号（Ｌ‘）と第２の位相反転回路ＰＢＲ２８により位相反転されたＲｃｈ位相反転信号（−ΔＲ‘）とを加算する第１の加算器（請求項１、３に記載の第１の加算手段に相当）Ｋ４２と、第１の加算器Ｋ４２により加算された加算信号（Ｌ‘−ΔＲ‘）を電力増幅する第３の電力増幅器（請求項３に記載の第１の電力増幅手段、および請求項３に記載の第３の電力増幅手段に相当）ＰＡＬ５２と、第３の電力増幅器ＰＡＬ５２により電力増幅された電力増幅信号とともに駆動するＬｃｈ側の例えば高域用の第２スピーカＳＰＬ６４とを備える。
【００１４】
音響信号再生回路１０は、第４に第２のバッファ増幅器ＰＢＲ２６により増幅されたＲｃｈ緩衝増幅信号（Ｒ‘）と第１の位相反転回路ＰＢＬ１８により位相反転されたＬｃｈ位相反転信号（−ΔＬ‘）とを加算する第２の加算器（請求項１、３に記載の第２の加算手段に相当）Ｋ４４と、第２の加算器Ｋ４４により加算された加算信号（Ｒ‘−ΔＬ‘）を電力増幅する第４の電力増幅器（請求項１、３に記載の第２の電力増幅手段、および請求項３に記載の第４の電力増幅手段に相当）ＰＡＲ５４と、第４の電力増幅器ＰＡＲ５４により電力増幅された電力増幅信号とともに駆動するＲｃｈ側の例えば高域用の第２スピーカＳＰＲ７４とを備える。
【００１５】
次に、本実施の形態の音響再生回路１０の動作について説明する。
まず、Ｌｃｈ信号が入力された場合について説明すると、Ｌｃｈ信号は、第１の電力増幅器ＰＡＬ１２により電力増幅された後、電力増幅信号としてＬｃｈ側の例えば低域用の第１スピーカＳＰＬ６２を駆動し例えば低域の音響再生に供される。
また、Ｌｃｈ信号は、第１のハイパスフィルタＨＰＦＬ１４を通過し第１のバッファ増幅器ＰＢＬ１６により増幅された後、Ｌｃｈ緩衝増幅信号（Ｌ‘）として第１の加算器Ｋ４２に入力され、この第１の加算器Ｋ４２により、第２のハイパスフィルタＨＰＦＲ２４を通過し、かつ第２の位相反転回路ＰＢＲ２８により位相反転されたＲｃｈ位相反転信号（−ΔＲ‘）と加算される。
そして、加算器Ｋ４２により加算された加算信号（Ｌ‘−ΔＲ‘）は、第３の電力増幅器ＰＡＬ５２により電力増幅された後、電力増幅信号としてＬｃｈ側の例えば高域用の第２スピーカＳＰＬ６４を駆動し例えば高域の音響再生に供される。
【００１６】
一方、Ｒｃｈ信号が入力された場合について説明すると、Ｒｃｈ信号は、第２の電力増幅器ＰＡＲ２２により電力増幅された後、電力増幅信号としてＲｃｈ側の例えば低域用の第１スピーカＳＰＲ７２を駆動し例えば低域の音響再生に供される。
また、Ｒｃｈ信号は、第２のハイパスフィルタＨＰＦＲ２４を通過し第２のバッファ増幅器ＰＢＲ２６により増幅された後、Ｒｃｈ緩衝増幅信号（Ｒ‘）として第２の加算器Ｋ４４に入力され、この第２の加算器Ｋ４４により、第１のハイパスフィルタＨＰＦＬ１４を通過し、かつ第１の位相反転回路ＰＢＬ１８により位相反転されたＬｃｈ位相反転信号（−ΔＬ‘）と加算される。
そして、加算器Ｋ４４により加算された加算信号（Ｒ‘−ΔＬ‘）信号は、第４の電力増幅器ＰＡＲ５４により電力増幅された後、電力増幅信号としてＲｃｈ側の例えば高域用の第２スピーカＳＰＲ７４を駆動し例えば高域の音響再生に供される。
【００１７】
この音響信号再生回路１０は、図２に示すように、試聴者には、Ｌｃｈ側の特に第２スピーカＰＳＬ６４から低域の歪みをカットしたＬｃｈの信号ベクトルＡ１´が感じられるとともに、Ｒｃｈ側の特に第２スピーカＳＰＲ７４から位相反転し低域の歪みをカットしたＬｃｈの信号ベクトルＢ１´も左側に感じられる。したがって視聴者には、ベクトルＡ１´、Ｂ１´の合成ベクトルをも低域に歪みのなく良好なＬｃｈの高域成分の信号ベクトルＣ１´として感じられる。
このため図２に点線で示すように左側の離れた位置にも特に第２スピーカＳＰＬ６４´があたかも存在するかのようにより広がり感があり低域に歪みのない高音質の音響効果が感じられる。
また、この音響信号再生回路１０は、同じく図２に示すように、試聴者には、Ｒｃｈ側の特に第２スピーカＳＰＲ７４から低域の歪みをカットしたＲｃｈの信号ベクトルＡ２´が感じられるとともに、Ｌｃｈ側の特に第２スピーカＳＰＬ６４から位相反転し低域の歪みをカットしたＲｃｈの信号ベクトルＢ２´も右側に感じられる。したがって視聴者には、ベクトルＡ２´、Ｂ２´の合成ベクトルをも低域に歪みのなく良好なＲｃｈの高域成分の信号ベクトルＣ２´として感じられる。
このため図２に点線で示すようにＲｃｈ側の離れた位置にも特に第２スピーカＳＰＲ７４´があたかも存在するかのようにより広がり感があり低域に歪みがなく高音質の音響効果が感じられる。
【００１８】
すなわち、本実施の形態においては、Ｌｃｈ側の第１のバッファ増幅器ＰＢＬ１６および第１の位相反転回路ＰＢＬ１８の前段、並びに、Ｒｃｈ側の第２のバッファ増幅器ＰＢＲ２６および第２の位相反転回路ＰＢＲ２８の前段に各々低域除去手段としての第１、第２のハイパスフィルタＨＰＦＬ１４、ＨＰＦＲ２４を備えたため、各スピーカＳＰＬ６４、ＳＰＲ７４からの分割振動の発生を防止することができるとともに、各スピーカＳＰＬ６４、ＳＰＲ７４からの音の広がり感に関係の少ない低域の歪み感の発生をも防止することができ、この結果、より高音質で広がり感のある音響効果を得ることができる。
【００１９】
なお、本実施の形態においては、第１、第２のハイパスフィルタから出力された高周波数信号を増幅するために第１、第２のバッファ増幅器を設けたが、前記高周波数信号を増幅する必要がなければ第１、第２のバッファ増幅器を省略できる。
【００２０】
【発明の効果】
本発明の音響信号発生回路によれば、各スピーカからの分割振動の発生を防止することができるとともに、各スピーカから音の広がり感に関係の少ない低域の歪み感の発生をも防止することができ、このためより高音質で広がり感のある優れた音響効果を発揮することができる。
【図面の簡単な説明】
【図１】本発明の実施の形態に係わる音響信号再生回路の構成を示す回路構成図である。
【図２】上記音響信号再生回路を用いた場合の音響効果を説明する説明図である。
【図３】従来の技術の構成を示す回路構成図である。
【図４】従来の技術を用いた場合の音響効果を説明する説明図である。
【符号の説明】
ＰＡＬ１２……第１の電力増幅器、ＨＰＦＬ１４……ハイパスフィルタ、ＰＢＬ１６……第１のバッファ増幅器、ＰＢＬ１８……第１の位相反転回路、ＰＡＲ２２……第２の電力増幅器、ＨＰＦＲ２４……ハイパスフィルタ、ＰＢＲ２６……第２のバッファ増幅器、ＰＢＲ２８……第２の位相反転回路、Ｋ４２……第１の加算器、Ｋ４４……第２の加算器、ＰＡＬ５２……第３の電力増幅器、ＰＡＲ５４……第４の増幅器、ＳＰＬ６２……第１スピーカ、ＳＰＬ６４……第２スピーカ、ＳＰＲ７２……第１スピーカ、ＳＰＲ７４……第２スピーカ。
【図１】
2005012603.tif 000003
【図２】
2005012603.tif 000004
【図３】
2005012603.tif 000005
【図４】
2005012603.tif 000006